(57)【特許請求の範囲】
【請求項１】
隣接する建築物間を連結するジョイント部材を被覆して保護するための保護フィルムであって、該保護フィルムは、前記ジョイント部材の少なくとも係止部の表裏両側を被覆自在の薄膜状のフィルムと、該フィルムの両端に設けられる粘着部とからなり、前記両端の粘着部で前記ジョイント部材の基端側を挟持自在としたことを特徴とする保護フィルム。
【請求項２】
互いに係着する係止部を有する隣接建築物のそれぞれのジョイント部材を保護するための保護フィルムであって、該保護フィルムが区分可能な異色のものからなることを特徴とする請求項１に記載の保護フィルム。
【請求項３】
前記保護フィルムが、樹脂フィルムと、この両縁にはみ出して貼着される片面糊付テープからなることを特徴とする請求項１又は２に記載の保護フィルム。
【請求項４】
前記片面糊付テープが、ポリエチレンテレフタレートフィルムに粘着層を積層したものであることを特徴とする請求項１乃至３の何れかに記載の保護フィルム。
【発明の詳細な説明】
【０００１】
【発明の属する技術分野】
本発明は、隣接する建築物間を連結して防水するためのジョイント部材の少なくとも係止部を施工時まで保護するための保護フィルムに関する。
【０００２】
【従来の技術】
図９，図１０に示すように、建築物、例えば、プレハブ住宅の建物ユニット１２，１２間には間隙があり、この部分は一対のジョイント部材４，４′，４ａ，４ａ′により連結されて防水されることを一般とする。即ち、ジョイント部材４，４′，４ａ，４ａ′はその挟持部をユニット１２，１２の、例えば、外壁５や柱６間に挟持されその先端側の係止部９，９′，９ａ，９ａ′を互いに係着乃至接着等して連結される。
図９に示すジョイント部材４，４′ではファスナータイプの係止部９，９′を備え、図１０に示すジョイント部材４ａ，４ａ′では粘着タイプの係止部９ａ，９ａ′を備えるというように、係止部としては各種の形状のものがあるが、これら係止部９，９′，９ａ，９ａ′はユニット１２，１２の端縁からははみ出して配設される。
【０００３】
【発明が解決しようとする課題】
前記のように、ジョイント部材４，４′，４ａ，４ａ′はユニット１２からはみ出したままの状態で、ライン塗装、輸送、据付等の各工程を経ることになるが、ジョイント部材４，４′は塗装、輸送、据付等の工程中に損傷する等の問題点がある。また、ユニット１２，１２等には塗装が施されるため、この塗料がジョイント部材４，４′，４ａ，４ａ′の係止部９，９′，９ａ，９ａ′に付着して、ファスナー部材の摺動を妨害してファスナータイプの係止部９，９′を使用不能としたり、粘着式の係止部９ａ，９ａ′に汚れが付着して粘着層の粘着力を低下させて粘着式の係止部９ａ，９ａ′を使用不能とする不都合があった。
また、特に、図９に示すようなファスナータイプのジョイント部材４，４′の場合には、左右の雌雄が区別できない場合があるため、左右のジョイント部材４，４′は異色のものとして両端を峻別し得るようにされていた。然し乍ら、ジョイント部材４，４′の材質によっては塗料により変質するものや色が付着し難いものもあり、且つ色落ちも生じ易く、区別が不明確となる問題点もある。
【０００４】
本発明は、以上の事情に鑑みて発明されたもので、ジョイント部材が確実に保護され防水効果の低下もなく、左右の峻別も可能であり、且つ比較的安価に形成され、しかも取扱性のよい建築物の防水ジョイント部材の保護フィルムを提供することを目的とする。
【０００５】
【課題を解決するための手段】
本発明の保護フィルムは、以上の目的を達成するために、請求項１記載の通り、隣接する建築物間を連結するジョイント部材を被覆して保護するための保護フィルムであって、該保護フィルムは、前記ジョイント部材の少なくとも係止部の表裏両側を被覆自在の薄膜状のフィルムと、該フィルムの両端に設けられる粘着部とからなり、前記両端の粘着部で前記ジョイント部材の基端側を挟持自在としたことを特徴とする。
また、請求項２記載の保護フィルムは、請求項１記載の保護フィルムにおいて、互いに係着する係止部を有する隣接建築物のそれぞれのジョイント部材を保護するための保護フィルムであって、該保護フィルムが区分可能な異色のものからなることを特徴とする。
また、請求項３記載の保護フィルムは、請求項１又は２記載の保護フィルムにおいて、前記保護フィルムが、樹脂フィルムと、この両縁にはみ出して貼着される片面糊付テープからなることを特徴とする。
また、請求項４記載の保護フィルムは、請求項１乃至３の何れかに記載の保護フィルムにおいて、前記片面糊付テープが、ポリエチレンテレフタレートフィルムに粘着層を積層したものであることを特徴とする。
【０００６】
ジョイント部材は施工開始までは保護フィルムにより被覆されているため、ジョイント部材の損傷が防止され、塗装時における塗料の付着もない。更に、保護フィルムは異色に色付けすることができ、ファスナータイプのジョイント部材の雌雄の峻別が容易である。また、樹脂フィルの縁部に片面糊付テープをはみ出せるように貼着するだけで、簡単に保護フィルムを作成でき、小ロット品への対応が容易である。また、両面糊付テープをポリエチレンテレフタレートフィルムに粘着層を積層したものとすれば、ポリエチレンテレフタレートフィルムの剛性によって、保護フィルムは非常に取扱性のよいものとなる。
【０００７】
【発明の実施の形態】
以下、本発明の保護フィルムの実施の形態を図面を参照して詳述する。
図１及び図２に示すように、本発明の保護フィルム１はジョイント部材をすっぽり被覆するシート状部材からなり、弧状に湾曲自在の薄膜状の樹脂フィルム２と、この両縁に設けられる粘着部３とから構成される。
樹脂フィルム２は、本実施の形態では安価なポリエチレン等のポリフィルムを用いた。一方、この保護フィルム１で被覆されるジョイント部４（４′）は建築物の外壁５や柱６間に挟持されて固着される挟持部７とこれから突出する突出片部８とからなり、突出片部８の先端には係止部９（９′）が形成されている。
【０００８】
なお、この係止部９（９′）は図９や図１０に示したように各種の形状のものがあるが、図１及び図２では図９に示したファスナータイプの係止部９（９′）が示されており、図３では図１０に示した粘着タイプの係止部９ａ（９ａ′）が示されている。本実施の形態では、ジョイント部材全体を被覆するようにしたが、少なくとも係止部のみを被覆できれば、最低限の保護効果が得られる。
【０００９】
なお、具体的には保護フィルム１の樹脂フィルム２としては厚み１０μｍ程度のＨＤＰＥ（高圧ポリエチレン）が用いられる。この高圧ポリエチレンは安価であり、半透明と青色のものがある。このように、半透明と青色のものをそのまま利用して異色の保護フィルムを簡単に形成できる。勿論、任意の色付けも可能である。また、粘着部３としてはアクリル系の粘着剤が一般に用いられる。
この粘着部３は、樹脂フィルム２の両縁にはみ出して貼着される片面糊付テープとして構成することが好ましい。このような片面糊付テープの使用によれば、任意の大きさの樹脂フィルム２に対して、その縁部への貼着により簡単に粘着部３を設けることができ、小ロットの生産にも簡単に対応できる。
また、この場合、前記片面糊付テープをポリエチレンテレフタレートフィルムに粘着層を積層した構成にすれば、片面糊付テープにポリエチレンテレフタレートフィルムによって剛性が与えられ、薄くて腰のない保護フィルムを用いても、その貼着作業が容易に行えるものとなる。
なお、前記粘着層３は剥がす時に被着物への糊残りが有るため、この粘着層３に不織布層を設けたり、或いは、粘着層３自体の架橋密度を上げるようにすればよい。
【００１０】
図１乃至図３示すように、本発明の保護フィルム１でジョイント部材４，４ａを被覆することにより、ジョイント部材４，４ａが直接他の部材と接触することが防止され、損傷が回避される。なお、例え、保護フィルム１に外部から衝突等による外力が働いたとしても、保護フィルム１とジョイント部材４，４ａとは粘着部３以外では互いに相対移動自在であるため、この保護フィルム１によって外力に対して応力が緩和されることになり、ジョイント部材４，４ａが外力によって損傷することが防止される。
【００１１】
また、保護フィルム１に異色の色付けを行うことにより左右の区別が容易にできる。また、保護フィルム１により、途中工程におけるジョイント部４，４ａへの塗料の付着や、色落ち等が防止される。なお、建築物の連結時における施工時には保護フィルム１を取り外し、図９，図１０示した状態でジョイント部材９，９′や９ａ，９ａ′を互いに連結すればよい。
【００１２】
次に、比較的広幅の保護フィルム１の作り方を図４により説明する。
まず、フィルム２を所望の幅寸法に切断する。次に、その両縁に粘着部３を形成するが、本実施の形態では粘着部３としては厚み約１００μｍ、幅寸法約１０ｍｍの片面糊付テープ３′を用いる。この片面糊付テープ３′の約半面をフィルム２と粘着せしめ、残りの半面を粘着面とする。
この保護フィルム１は図５に示すように、片面糊付テープ３′によって形成された粘着部３によって、ジョイント部材に貼着固定するものであり、フィルム２面に実質的に粘着材３を存在させず、フィルム２の両側に粘着部３が形成され、フィルムの有効面積を稼ぐことが可能となる。
【００１３】
図６，図７はフィルム２の幅が比較的狭い保護フィルム１ａを多量に作る場合の作り方の一例を示すものである。即ち、図６に示すように、広幅のフィルム２ａを準備し、このフィルム２ａ上に適宜の間隔で粘着剤１０をすじ塗りする。次に、図６に示すように適宜の寸法で一点鎖線に示すようにフィルム２ａを切断する。これにより、図７に示す比較的小片の保護フィルム１ａが形成される。即ち、中央のフィルム面１１がフィルム２に相当し、両縁の粘着剤１０が粘着部３に相当するものとなる。以上により、小片の保護フィルム１ａを効率的に製作することができる。
【００１４】
前記したように、保護フィルム１は、一般にはその粘着部３，３を利用してジョイント部材４，４′，４ａ，４ａ′に貼着固定するものであるが、ジョイント部材４，４′，４ａ，４ａ′の突出寸法が長い場合にはジョイント部材４，４′，４ａ，４ａ′が動く恐れがあるため、この移動防止のため、図８に示すように保護フィルム１の粘着部３の一方のみをジョイント部材４，４′，４ａ，４ａ′から取り外し、この取り外した粘着部３を、例えば、ユニット１２の外壁５に固着せしめる。これにより、ジョイント部４の動きを止めることができる。
【００１５】
以上の説明において、ジョイント部４，４′，４ａ，４ａ′として図示のものを採用したが、勿論、これ等の形状のものに限定されるものではない。
【００１６】
【発明の効果】
１）本発明の請求項１に記載の保護フィルムによれば、保護フィルムでジョイント部材が被覆されて保護されるため損傷，塗料の付着，色落ち等が防止される。
２）本発明の請求項２に記載の保護フィルムによれば、保護フィルムは異色に形成されるため左右のジョイント部材の区別が容易に行われ、誤作業が防止され作業効率の向上が図れる。
３）本発明の請求項３に記載の保護フィルムによれば、樹脂フィルムの両縁に片面糊付テープを貼着するだけで、任意の大きさの保護フィルムを小ロット単位でも簡単に作ることができる。
４）本発明の請求項４に記載の保護フィルムによれば、ポリエチレンテレフタレートフィルムの剛性により、保護フィルムの貼着作業が容易となる。
【図面の簡単な説明】
【図１】本発明の保護フィルムとこれにより被覆されるファスナータイプのジョイント部材等を示す斜視図。
【図２】図１のＡ矢視の側断面図。
【図３】図１のファスナータイプと異なるジョイント部材とこれを被覆する保護フィルムを示す側断面図。
【図４】保護フィルムの展開形状の一実施の形態を示す斜視図。
【図５】図４の保護フィルムの使用形態を示す側断面図。
【図６】比較的狭幅の保護フィルムの作り方の一例を説明するための模式図。
【図７】図６の作り方により製作された狭幅の保護フィルムの斜視図。
【図８】保護フィルムによるジョイント部材の動き防止方法を説明するための側断面図。
【図９】ファスナータイプのジョイント部材の連結形態を示す側断面図。
【図１０】ファスナータイプと異なるジョイント部材の連結形態を示す斜視図。
【符号の説明】
１      保護フィルム
１ａ    保護フィルム
２      フィルム
３      粘着部
４      ジョイント部材
４′    ジョイント部材
４ａ    ジョイント部材
４ａ′  ジョイント部材
５      外壁
６      柱
７      挟持部
８      突出片部
８′    突出片部
９      係止部
９′    係止部
９ａ    係止部
９ａ′  係止部
１０    粘着剤
１１    フィルム面
１２    ユニット
【図１】
0004115052.tif 000002
【図２】
0004115052.tif 000003
【図３】
0004115052.tif 000004
【図４】
0004115052.tif 000005
【図５】
0004115052.tif 000006
【図６】
0004115052.tif 000007
【図７】
0004115052.tif 000008
【図８】
0004115052.tif 000009
【図９】
0004115052.tif 000010
【図１０】
0004115052.tif 000011